(57)【特許請求の範囲】
【請求項１】
板状のマット本体を有して、該マット本体には放熱用の熱媒体を通すパイプが配設されている放熱マットと、該放熱マットの前記パイプに通す熱媒体を供給する熱源器と、前記放熱マットが床に配設される部屋の室温を検出する室温検出手段とを備え、前記熱媒体の温度と該熱媒体を前記パイプに通す時間とを変えたときの前記室温と前記部屋の床温との関係データを予め与えておき、該関係データと前記室温検出手段によって検出される室温検出値とに基づいて、前記部屋の床温が予め設定される設定床温になるように前記熱媒体の温度と該熱媒体を前記パイプに通す時間とを制御する制御手段を有することを特徴とする床暖房装置。
【請求項２】
板状のマット本体を有して、該マット本体には放熱用の熱媒体を通すパイプが配設されている放熱マットと、該放熱マットの前記パイプに通す熱媒体を供給する熱源器と、前記放熱マットが床に配設される部屋の室温を検出する室温検出手段と、前記熱媒体の温度と該熱媒体を前記パイプに通す時間とに応じて変化する前記床の熱流量を検出する熱流量検出手段とを備え、前記部屋の床温から室温を差し引いた差と前記熱流量との関係データを予め与えておき、該関係データと、前記室温検出手段によって検出される室温検出値と、前記熱流量検出手段によって検出される熱流量検出値とに基づいて前記部屋の床温を推測し、該推測値が予め設定される設定床温になるように前記熱媒体の温度と該熱媒体を前記パイプに通す時間とを制御する制御手段を有することを特徴とする床暖房装置。
【発明の詳細な説明】
【技術分野】
【０００１】
本発明は床面の暖房を行う床暖房装置に関するものである。
【背景技術】
【０００２】
住生活の快適環境を図る観点から、建物（家屋）のフローリング等の床暖房を行う床暖房装置が用いられている（例えば、特許文献１参照。）。
【０００３】
図７には本出願人が開発している床暖房装置の一例が示されている。同図に示すように、床暖房装置は、熱源器２０と放熱マット（暖房マット）１１とを有している。放熱マット１１は、板状のマット本体としてのマット材１２を有しており、マット材１２は、四角形状をした発泡スチロール等により形成されている。マット材１２の互いに対向する辺側からマット材１２の長手方向（対向辺の辺長方向）に間隔を介して、互い違いに相手側の辺方向に伸張するスリットが複数形成され、その各スリットに骨材としての小根太１３と小小根太１５が収容配置されている。小根太１３や小小根太１５は、通常、横断面が四角形状を呈した木材の棒状の角材が使用されるが、合成樹脂であってもよい。
【０００４】
マット材１２の上面側には、放熱用（暖房用）の熱媒体である温水を通すパイプ（熱媒体流通パイプ）６が、小根太１３を迂回する形態で１本以上（図７に示す例ではパイプ６ａとパイプ６ｂの２本）引き回し配設されている。なお、通常は、マット材１２の表面にパイプ６を配線するための溝が形成され、その溝にパイプ６が収容されて配線敷設されている。
【０００５】
また、マット材１２の上面にはパイプ６と根太（小根太１３および小小根太１５）とを覆うように、シート状の放熱部材であるアルミ箔（同図には図示せず）が接着形成されている。前記マット材１２の端部側にはパイプ６と外部配管１８とを連通接続するヘッダ１が設けられており、ヘッダ１には外部配管１８（外部往管１８ａと外部戻り管１８ｂ）を介して熱源器２０が接続されている。
【０００６】
熱源器２０は給水される水を加熱して温水（湯）を作り出す給湯機能を備えた熱源器であり、熱源器２０で作り出された温水は外部往管１８ａを通してヘッダ１に供給される。ヘッダ１は熱源器２０から供給される温水を放熱マット１１に導くと共に、放熱マット１１から戻ってくる温水（湯温が低下した温水）を、外部戻り管１８ｂを通して、再加熱のために熱源器２０へ戻す役割を担う。
【０００７】
このような床暖房装置において、床温度を制御するためには、従来は、実際に床温度を測定するための計測器を床面に取り付ける方法や、床面からの放射温度を離れたところから計測して床温を測定する方法、熱源器２０から放熱マット１１側へ導入される往きの温水温と放熱マット１１側から熱源器２０側に戻る戻りの温水温から相関的に床温度を測定する方法等を用いて床温度を測定し、その測定値に基づいて床温度を制御していた。
【先行技術文献】
【特許文献】
【０００８】
【特許文献１】実開平６―４０７１８号公報
【発明の概要】
【発明が解決しようとする課題】
【０００９】
しかしながら、床温度を直接測定するための計測器を設ける構成においては、計測器を貼り付けるための作業性が悪かったり、取り付けた計測器が邪魔になったりするといった問題があった。また、放射温度を測定する方法においては、測定する箇所に絨毯などが敷かれてしまうと正確に床温を検出することが難しいといった問題があった。さらに、往きと戻りの温水温の差に基づいて床温を検出する方法においては、気温の変化や暖房の開始時と開始からしばらくたった時間とに応じて暖房負荷が変わったり、温水の循環流量が変化したりすると正確に床温を検出することができず、制御性に難があった。
【００１０】
本発明は、上記課題を解決するためになされたものであり、その目的は、床に邪魔な計器を設けなくてもすむ簡単な構成で的確に床温を制御できる床暖房装置を提供することにある。
【課題を解決するための手段】
【００１１】
本発明は上記目的を達成するために、次の構成をもって課題を解決する手段としている。すなわち、第１の発明は、板状のマット本体を有して、該マット本体には放熱用の熱媒体を通すパイプが配設されている放熱マットと、該放熱マットの前記パイプに通す熱媒体を供給する熱源器と、前記放熱マットが床に配設される部屋の室温を検出する室温検出手段とを備え、前記熱媒体の温度と該熱媒体を前記パイプに通す時間とを変えたときの前記室温と前記部屋の床温との関係データを予め与えておき、該関係データと前記室温検出手段によって検出される室温検出値とに基づいて、前記部屋の床温が予め設定される設定床温になるように前記熱媒体の温度と該熱媒体を前記パイプに通す時間とを制御する制御手段を有する構成をもって課題を解決する手段としている。
【００１２】
また、第２の発明は、板状のマット本体を有して、該マット本体には放熱用の熱媒体を通すパイプが配設されている放熱マットと、該放熱マットの前記パイプに通す熱媒体を供給する熱源器と、前記放熱マットが床に配設される部屋の室温を検出する室温検出手段と、前記熱媒体の温度と該熱媒体を前記パイプに通す時間とに応じて変化する前記床の熱流量を検出する熱流量検出手段とを備え、前記部屋の床温から室温を差し引いた差と前記熱流量との関係データを予め与えておき、該関係データと、前記室温検出手段によって検出される室温検出値と、前記熱流量検出手段によって検出される熱流量検出値とに基づいて前記部屋の床温を推測し、該推測値が予め設定される設定床温になるように前記熱媒体の温度と該熱媒体を前記パイプに通す時間とを制御する制御手段を有する構成をもって課題を解決する手段としている。
【発明の効果】
【００１３】
第１の発明によれば、熱媒体の温度と該熱媒体を前記パイプに通す時間とを変えたときの前記室温と前記部屋の床温との関係データを予め与えておくことにより、この関係データと室温検出手段によって検出される室温検出値とに基づいて、そのときの部屋の床温を推測でき、予め設定される設定床温になるように、制御手段によって、熱媒体の温度と該熱媒体を前記パイプに通す時間とを制御することにより、床温が設定床温になるようにきめ細かく制御できる。しかも、その制御に際し、温水の流量制御は不要で、温水の温度と流す時間を制御することのみでよいため、非常に簡単に制御でき、装置構成も簡単である。
【００１４】
また、第２の発明によれば、部屋の床温から室温を差し引いた差と床の熱流量との関係データを予め与えておくことにより、この関係データと、室温検出手段によって検出される室温検出値と、熱流量検出手段によって検出される熱流量検出値とに基づいて前記部屋の床温を推測でき、該推測値が予め設定される設定床温になるように、制御手段によって前記熱媒体の温度と該熱媒体を前記パイプに通す時間とを制御することにより、床温が設定床温になるようにきめ細かく制御できる。しかも、その制御に際し、温水の流量制御は不要で、温水の温度と流す時間を制御することのみでよいため、非常に簡単に制御でき、装置構成も簡単である。
【図面の簡単な説明】
【００１５】
【図１】本発明に係る床暖房装置の一実施例の制御構成を示すブロック図である。
【図２】実施例の床暖房装置の要部構成を説明するための模式的な説明図である。
【図３】実施例の床暖房装置の放熱マットに設けられているヘッダの通路形成例と温度対応開閉弁の構成および動作を説明するための断面説明図である。
【図４】実施例の床暖房装置に与えられる暖房の制御のためのデータ例を示すグラフである。
【図５】その他の実施例の床暖房装置に設けられる制御構成を示すブロック図である。
【図６】図５に示す制御構成を有する床暖房装置により暖房の制御を行うために与えるデータ例を示すグラフである。
【図７】放熱マットの一例を示す説明図である。
【図８】敷設面積を切り替える構成を備えた放熱マットの提案例を示す説明図である。
【図９】敷設面積を切り替える構成を備えた放熱マットの別の例を示す模式的な説明図である。
【発明を実施するための形態】
【００１６】
以下、本発明の実施の形態を図面に基づき説明する。なお、本実施例の説明において、従来例と同一名称部分には同一符号を付してある。
【実施例１】
【００１７】
図２には、本発明に係る放熱マットの一実施例の床暖房装置が模式的に示されている。本実施例は図７に示した従来例と同様に、放熱マット１１と熱源器２０とを外部配管により接続しており、放熱マット１１はマット本体１２とヘッダ１とを有し、マット本体１２にはパイプ６が配設されている。ただし、本実施例に適用されている放熱マット１１においては、ヘッダ１の通路（図２には図示せず）に、マット本体１２の予め定められた設定領域Ａ（マット本体１２の中央部であって、例えば部屋に敷設時は部屋中央部）に温水を流してヘッダ１に戻す設定領域内配設パイプ６Ａと、マット本体１２の設定領域Ａ以外の領域Ｂ，Ｃ（マット本体１２の周辺部であって、例えば部屋敷設時は家具等が置かれる可能性の高い場所）に温水を流してヘッダ１に戻す設定領域外配設パイプ６Ｂ，６Ｃとが接続されている。なお、領域Ａ，Ｂ，Ｃは、図の鎖線により区切られた領域であり、また、図２には示されていないが、本実施例でも、図７に示した放熱マット１１と同様に、小根太１３等が設けられている。
【００１８】
図３には、ヘッダ１の通路のうち、一端側が設定領域外配設パイプ６Ｂに接続されている通路２と、一端側が設定領域内配設パイプ６Ａに接続されている通路４とが模式的な断面図により示されている。通路２は、その他端側が、分岐部５を介して通路４の他端側とに接続されており、通路４の他端側は外部配管１８に接続されている。通路２には温度対応開閉弁３が介設されており、この温度対応開閉弁３は、ヘッダ１側からパイプ６側に流れる温水の温度が予め定めた設定温度（例えば５０℃）以上のときには開いて、前記温水の温度が前記設定温度未満の時には閉じる弁である。
【００１９】
また、同図には示されていないが、例えば通路４における温度対応開閉弁３の配設位置よりも下流側の位置に分岐部が形成され、この分岐部に、設定領域内配設パイプ６Ｃに接続されている通路が接続され、この通路にも温度対応開閉弁３が介設されている。
【００２０】
温度対応開閉弁３は、本実施例では、ヘッダ１側からパイプ６Ａ，６Ｂ，６Ｃ側に流れる（ここでは、通路４を流れる）温水の温度が前記設定温度以上のときには、図３（ａ）に示すように、開状態と成す。そして、このことにより、温水を設定領域内配設パイプ６Ａと設定領域外配設パイプ６Ｂ，６Ｃの両方に流すことにより、温水をマット本体１２の全体領域に流す構成としている。また、ヘッダ１側からパイプ６Ａ，６Ｂ，６Ｃ側に流れる（ここでは、通路４を流れる）温水の温度が前記設定温度未満のときには、図３（ｂ）に示すように、温度対応開閉弁３が閉じ、温水の設定領域外配設パイプ６Ｂ，６Ｃ側への流れを遮断し、温水を前記設定領域にのみ流す構成としている。
【００２１】
なお、温度対応開閉弁３の構成は特に限定されるものではないが、その一例として図３に示す構成が適用されるものであり、以下に、この温度対応開閉弁３の構成について簡単に説明する。この温度対応開閉弁３は、ボディ２８に、入口流路２６と、出口流路２７と、これらの流路２６，２７を連通する弁室２９を設けて形成されており、弁室２９には、環状の弁座３０が設けられている。また、弁室２９には、弁体３１がピストン３２と共に進退移動自在に設けられており、ピストン３２は、ワックスサーモエレメント３３を駆動部として（この図では上下方向に）進退移動する。また、弁３１は、バネ３４によって図の下側に付勢されている。
【００２２】
ヘッダ１側からパイプ６Ａ，６Ｂ，６Ｃ側に流れる温水の温度が前記設定温度以上（例えば６０℃）の時には、通路４を流れる温水の温度が前記設定温度（例えば５０℃）以上となるので、図３（ａ）に示すように、サーモエレメント３３が伸長作動して、ピストン３２が、バネ３４の付勢力に抗して図の上側に移動した状態となり、弁体３１が弁座３０から離れて温度対応開閉弁３が開状態となる。そのため、図の矢印に示すように、分岐部５を介して通路２に温水が流れ込み、温度対応開閉弁３を通り、設定領域外配設パイプ６Ｂ側へ流れる。同様に、設定領域外配設パイプ６Ｃ側へも温水が流れる。したがって、設定領域Ａおよび設定領域Ａ以外の領域Ｂ，Ｃに温水が流れ、放熱マット１１の全体領域の暖房が行われる。
【００２３】
一方、ヘッダ１側からパイプ６Ａ，６Ｂ，６Ｃ側に流れる温水の温度が前記設定温度未満（例えば４０℃）の時には、通路４を流れる温水の温度が前記設定温度未満となるので、図３（ｂ）に示すように、サーモエレメント３３が収縮して、ピストン３２がバネ３４の付勢力によって図の下側に移動した状態となり、弁体３１が弁座３０に当接し、温度対応開閉弁３が閉状態となる。そのため、図の矢印に示すように、分岐部５を通った温水は通路４側にのみ流れ、設定領域内配設パイプ６Ａを通って設定領域Ａ内にのみ流れ、この領域Ａの暖房が行われる。
【００２４】
また、本実施例では、図１に示す特徴的な制御構成を有している。つまり、熱源器２０の制御装置内に、暖房制御手段８、メモリ部９、時計機構１０、燃焼制御手段１４を設け、この制御装置を、室温検出手段７に信号接続している。
【００２５】
室温検出手段７は、放熱マット１１が床に配設される部屋の室温を検出する手段である。燃焼制御部１４は、放熱マット１１に供給する温水を作り出すために、熱源器２０内に設けられている加熱手段（例えばバーナ）の燃焼制御を行うものである。なお、温水形成のための構成は、特に限定されるものでなく、適宜設定されるものであり、バーナの燃焼制御によって適宜の温度の温水を形成してもよいし、バーナの燃焼に加え、水―水熱交換器等を用いて適宜の温度の温水を形成してもよい。
【００２６】
メモリ部９は、温水の温度と温水をパイプ６に通す時間とを変えたときの、前記部屋の室温と前記部屋の床温との関係データを格納するものである。このデータは、例えば図４に示すようなデータである。同図において、特性線ａは、６０℃の温水を２０分間パイプ６に流したときの室温と床温との関係データであり、特性線ｂは、６０℃の温水を１０分間パイプ６に流したときの、室温と床温との関係データである。また、特性線ｃ、特性線ｄは、それぞれ、同様に、温水の温度を６０℃として、その温水を、特性線ｃにおいては６分間、特性線ｄにおいては３分間、パイプ６に流したときの、室温と床温との関係データである。特性線ｅは、４０℃の温水を３分間パイプ６に流したときの、室温と床温との関係データである。
【００２７】
暖房制御手段８は、図４に示すような関係データと、室温検出手段７によって検出される室温検出値とに基づいて、前記部屋の床温が予め設定される設定床温になるように、温水の温度と温水をパイプ６に通す時間とを制御する制御手段として機能するものである。暖房制御手段８は、時計機構１０により検出される時間を取り込み、温水の温度が例えば６０℃または４０℃になるように燃焼制御手段１４に指令を加え、燃焼制御手段１４によって適宜の温度の温水を作り出させ、その温水を適宜の時間、放熱マット１１側に送ってパイプ６に流す。
【００２８】
例えば、暖房制御手段８は、床温を３２℃にしたい場合に、室温が１８℃程度の低い状態の時には、特性線ａに従って温水の供給を開始する。つまり、燃焼制御手段１４に指令を加えて６０℃の温水を作るようにし、その６０℃の温水を放熱マット１１に供給し、供給開始時から２０分間継続して温水をパイプ６に流すようにする。なお、このときには、温水の温度が６０℃であるので、本実施例の放熱マット１１において、図２に示した温度対応開閉弁３は、図３（ａ）に示した開状態となり、パイプ６Ａ，６Ｂ，６Ｃを通して放熱マット１１の全体領域に温水が供給されて暖房が行われる。
【００２９】
そして、放熱マット１１に温水を供給することによって部屋の室温が上昇し、２１℃を超えると床温が３２℃以上となるが、この時点で、特性線ｂに従って制御を行うと、床温は３２℃よりも低くなってしまうので、この時点では、特性線ａにしたがって制御を続け、さらに、室温が２２．６℃を超えて、特性線ｂに従う制御においても床温が３２℃に達するようになったら、温水供給開始時から２０分が経過していなくても、図の実線矢印Ａに示すように、特性線ｂに移り、この特性線ｂに従い、６０℃の温水を、前記温水供給開始時から１０分間流すようにする。なお、特性線ｂに従う制御に移ったときに温水供給開始時から既に１０分経過していたときには、一時、温水の供給を停止し、室温から推測される床温が３１℃になったら、６０℃の温水を１０分間継続して流す制御を開始する。
【００３０】
また、特性線ｂに従う制御をしていても、室温、床温が共に高くなっていき、室温が２４．２℃を超えたら、図の実線矢印Ｂに示すように、特性線ｃに移り、この特性線ｃに従い、６０℃の温水を前記温水供給開始時から６分間流すようにする。このように、室温検出手段７により検出される室温検出値と、図４に示す関係データとに基づき、特性線ａ〜ｅに示す適宜の方法に従い、温水の温度と温水を流す時間を制御する。なお、室温から推測される床温を表示する床温表示手段を設けて、床温を表示するようにしてもよい。床温の表示を行うと、利用者が床温を知ることができるので、利便性を高めることができる。
【００３１】
また、例えば床温を２９℃にしたいときに、場合によっては、例えば図の破線矢印Ａ’、Ｂ’、Ｃ’、Ｄ’に示すように、特性線ａから順に特性線ｅまで移っていくことになる。そして、特性線ｅに従って温水の温度を４０℃にした場合には、本実施例の放熱マット１１において、図３に示した温度対応開閉弁３は、図３（ｂ）に示した閉状態となり、パイプ６Ａを通して放熱マット１１の設定領域Ａにのみ温水が供給されて部分的に暖房が行われる。
【００３２】
ところで、近年は、従来に比べて高気密、高断熱住宅が多くなり、このような住宅においては、床暖房開始時から時間がたって放熱マット１１の定常運転を行うときには、暖房負荷が小さくなる（暖房のための熱量が小さくても、部屋を十分に温めることができる）ために、床暖房によって室温が高くなりすぎてしまうことが懸念されているが、それを防ぐために、室温を一定にしようとして室温のみに基づいて床暖房制御を行おうとすると、床温が低くなってしまうといった問題が生じる。それに対し、本実施例では、前記のように、床温が設定温度になるように制御するので、床温が低くなりすぎることはなく、床暖房のメリットの一つである、素足で床に触れたときに温く感じる気持ちよさを味わえるメリットを損なうことを避けることができる。
【００３３】
また、前記のように、素足で床に触れたときに温く感じるような床暖房の温度を得るためには、放熱マット１１に流す温水の温度と流量との積に対応する値が高めになるようにする必要があることが知られている。つまり、温水の温度が高いほど床暖房の温度が高くなることは言うまでもないが、それに加え、温水の流量が大きい方が、放熱マット１１内を巡った温水がヘッダ１に流れ込む（戻る）部分の床暖房の温度が高くなる。したがって、例えば床暖房に伴って室温が上がりすぎることを防ぐためには、放熱マット１１に流す温水の流量を小さくすることも有効であるが、このようにすると、前記のように、素足で床に触れたときに温く感じることができなくなり、気持ちよさを感じられなくなる。また、温水の流量を制御するためには、例えば熱源器２０側にバルブ等を設ける必要があり、その分だけ構成が複雑になるし、制御も難しい。
【００３４】
それに対し、本実施例では、温水の温度を変えるだけで温度対応開閉弁３が自動的に開閉動作を行い、温水を流すパイプ６Ａ，６Ｂ，６Ｃを切り替えることができるので、非常に簡単に放熱マット１１における温水を流す面積を切り替えることができるし、以下に述べるように、素足で床に触れたときに温く感じるメリットを損なうこともない。つまり、本実施例において、例えばヘッダ１から全てのパイプ６Ａ，６Ｂ，６Ｃに温水を流す際に、その流量を３リットル／分とすると、温水の温度を４０℃にしたときには、その温水が設定領域内配設パイプ６Ａにのみ流れるので、流量が大きくなり、例えば６リットル／分となる。
【００３５】
したがって、全てのパイプ６Ａ，６Ｂ，６Ｃに温水を流して放熱マット１１全体を加温したときの床暖房の温度は６０℃×３リットル／分に対応する値となり、一方、設定領域内配設パイプ６Ａにのみ温水を流して設定領域Ａのみを加温したときの床暖房の温度は４０℃×６リットル／分に対応する値となるので、温水の温度を低くしても、人が長くいるところを設定領域Ａとして設定しておくことにより、人がより快適に過ごすことができる。
【００３６】
さらに、前記のように、室温が高くなりすぎることを防ぐために、暖房開始直後と暖房開始からしばらく時間がたってからの床暖房を行う（放熱マット１１に温水を流す）面積を、その時々によって変える構成として、従来は、例えば図８に示すような構成が提案されているが、この構成には、以下に示すような問題があった。
【００３７】
つまり、図８に示す構成は、小面積の放熱マット１１を複数組み合わせて敷設し、暖房開始時には、熱源器２０から外部ヘッダ２１を介して全ての放熱マット１１に温水を供給し、定常運転時には、例えばどれか一枚の放熱マットのみに熱源器２０からの温水を供給するといった構成である。この場合、各放熱マット１１にそれぞれ外部往管１８ａと外部戻り管１８ｂを接続し、これらの外部往管１８ａと外部戻り管１８ｂをそれぞれ熱源器２０に接続するために、長さの長い外部配管１８を複数設けなくてはならず、外部配管１８を敷設する作業が大変であり、また、外部配管１８の形成コストや敷設コストが嵩むといった問題が生じる。
【００３８】
また、図９に示すように、外部往管１８ａと外部戻り管１８ｂを分岐して、その分岐端をそれぞれ、複数の小面積の放熱マット１１に接続することで、各放熱マット１１を熱源器２０に接続し、前記分岐部に設けた切り替えユニット２２内の電磁弁によって温水の供給路を切り替え、温水を供給する放熱マット１１を切り替えることも考えられる。この構成においては、図８に示す構成に比べると外部配管１８の敷設長さは短くできるものの、切り替えユニット２２と各放熱マット１１とを接続するための外部配管１８を設ける必要があるし、切り替えユニット２２と熱源器２０とを電気的に接続しなければならないために、そのための電気配線２３の経路を考慮しなければならない。
【００３９】
しかも、切り替えユニット２２は、床下等に設けられるものであり、切り替えユニット２２内に設ける電磁弁のメンテナンスを考慮して切り替えユニット２２を設置しなければならないため、設置の自由度が低く、さらに、切り替えユニット２２のメンテナンス時には、床下等に設けられている切り替えユニット２２を取り出してメンテナンスをするために床をはがさなければならないため、メンテナンス作業が大変であるといった問題も生じる。
【００４０】
それに対し、本実施例では、熱源器２０から放熱マット１１に供給する温水の温度を変えるだけで、マット外部の熱源器２０からの電気信号等による制御を行うことなく、温水の流れる流路を切り替えることができ、温水をマット本体の全体領域に流したり、設定領域にのみ流したりすることができるので、図８に示した構成のように、複数の放熱マット１１と熱源器２０とをそれぞれ接続するために多数の外部配管１８を敷設する必要がなく、また、図９に示した構成のように、切り替えユニット２２と各放熱マット１１とを接続するための外部配管１８を設けることも、熱源器２０と切り替えユニット２２の電磁弁とを接続するための電気配線を設けることも不要である。
【００４１】
したがって、本実施例は、装置構成が簡単で敷設コストも安くできるし、また、温度対応開閉弁３は電気信号により開閉する弁と異なり、短い期間でメンテナンスをする必要はなく、例えば混合水栓等に用いられているように、ほぼメンテナンスフリーで用いることができるため、メンテナンス作業が大変であるといったこともなく、長期信頼性も高くすることができる。
【００４２】
なお、本発明は、前記実施例に限定されるものでなく、適宜設定されるものである。例えば、図５に示すように、図１に示した構成と同様の構成要素に加え、熱流量検出手段１６を設けて、熱源器２０の制御装置に信号接続した制御構成を適用することもできる。なお、図５に示す例においても、時計機構１０と燃焼制御手段１４は、図１と同様の機能を有する。
【００４３】
また、図５において、熱流量検出手段１６は、床の熱流量（熱流量検出手段１６の設置箇所において通過する熱量）を検出する手段であり、この熱流量は、放熱マット１１に供給する温水の温度と、その温水をパイプ６Ａ，６Ｂ，６Ｃに通す時間とに応じて変化するものである。熱流量検出手段１６は、例えば床下に、その床と放熱マット１１との間に挟む態様で設けられる。なお、熱流量検出手段１６を床に貼り付けたりしても邪魔にならない場合には、床に設置してもよい。
【００４４】
メモリ部９は、図５に示す構成においては、図６に示すような、部屋の床温から室温を差し引いた差と熱流量との、予め与えられた関係データを格納する。そして、暖房制御手段８は、その関係データと、室温検出手段７によって検出される室温検出値と、熱流量検出手段１６によって検出される熱流量検出値とに基づいて前記部屋の床温を推測し、該推測値が予め設定される設定床温になるように、温水の温度と該温水をパイプ６Ａ，６Ｂ，６Ｃに通す時間とを制御する制御手段として機能する。
【００４５】
暖房制御手段８は、時計機構１０により検出される時間を取り込み、温水の温度が例えば６０℃または４０℃になるように燃焼制御手段１４に指令を加え、燃焼制御手段１４によって適宜の温度の温水を作り出させ、その温水を適宜の時間、放熱マット１１側に送ってパイプ６に流す。例えば熱流量が３０Ｗ／ｍ２の時に室温が２０℃であれば、床温は室温＋約５℃であるので、暖房制御手段８は、このときの床温が２５℃であると推測する。そして、例えば設定床温が３０℃とすると、床温−室温＝１０℃となるようにすればよいので、熱流量検出手段１６により検出される熱流量が約７３Ｗ／ｍ２となるように、６０℃の温水を１０分間流すように制御する。
【００４６】
なお、この例でも、図１に示す構成を備えた前記実施例と同様に、床温を表示する構成を設けて表示してもよい。図５の制御構成を適用した場合も、前記実施例とほぼ同様の効果を奏することができる。
【００４７】
また、前記実施例では、温水の温度を６０℃にするか４０℃にするかで切り替えていたが、温水の温度を４８℃に切り替える制御を加えると、より快適に過ごせるようになる。つまり、温水の温度を４８℃にした場合も前記設定温度（５０℃）未満になるので、温度対応開閉弁３が閉状態となり、温水は設定領域内配設パイプ６Ａを通って設定領域Ａ内にのみ流れ、この領域Ａの暖房が行われる。このとき、温水の温度が４８℃であると、人の体温よりも１０℃程度高いため、素足で床に触れたときに、より温く感じ、より気持ちよく感じられるし、設定領域Ａのみを温めることによって、部屋の温度が高くなりすぎることも防ぐことができる。
【００４８】
さらに、前記実施例では、放熱マット１１の領域を３つに分けて、その中央領域を設定領域としたが、設定領域の設定の仕方は特に限定されるものでなく、適宜設定されるものである。また、マット本体１２の大きさ、配列形態、パイプ６の形態等も特に限定されるものでなく、適宜設定されるものである。
【００４９】
さらに、放熱マット１１の領域を分けることなく、放熱マット１１に温水を供給する際は、その全体領域に温水を供給するようにしてもよい。この場合も、放熱マット１１の全体領域に温水を供給した場合の、図４、図６に示すような関係データを与え、図１、図５に示すような構成による前記のような制御を行うことにより、床に邪魔な計器を設けなくても、簡単な構成で的確に床温を制御できる床暖房装置を構成できる。
【００５０】
さらに、放熱マット１１に供給する熱媒体は、必ずしも温水とするとは限らず、温水以外の熱媒体を適用してもよい。この場合は、熱媒体に応じて図４、図６に示したような関係データを予め与えて制御することになる。
【産業上の利用可能性】
【００５１】
本発明の床暖房装置は、簡単な構成で、的確に床温を制御でき、快適に過ごすことができるので、家庭用やオフィス用の床暖房装置として利用できる。
【符号の説明】
【００５２】
１          ヘッダ
２，４      通路
３          温度対応開閉弁
５          分岐部
６          パイプ
６Ａ        設定領域内配設パイプ
６Ｂ，６Ｃ  設定領域外配設パイプ
７          室温検出手段
８          暖房制御手段
９          メモリ部
１０        時計機構
１１        放熱マット
１２        マット材
１４        燃焼制御手段
１６        熱流量検出手段
１８        外部配管
２０        熱源器
２９        弁室
３０        弁座
３１        弁体
【図１】
0005566762.tif 000002
【図２】
0005566762.tif 000003
【図３】
0005566762.tif 000004
【図４】
0005566762.tif 000005
【図５】
0005566762.tif 000006
【図６】
0005566762.tif 000007
【図７】
0005566762.tif 000008
【図８】
0005566762.tif 000009
【図９】
0005566762.tif 000010